(57)【要約】【課題】セキュリティが十分に整っていない共有ＭＦＰにおけるＳｅｎｄ機能のデータ送信において、ユーザごとにＳｅｎｄ機能の使用可・不可、種々の機能の制限をオフィス内のどのＭＦＰからも一様に設定可能になる。【解決手段】印刷結果を他人の視線に曝露しないよう包蔵するフィニッシング手段と、包蔵物（封筒、包み紙など）の表面に、内部印刷物を特定可能な第一の情報を視認可能な状態で追加できる第一の情報付加手段と、包蔵物の表面に、内部印刷物を特定可能な第二の情報を視認不可能な状態で追加できる第二の情報付加手段と、を有することを特徴とする印刷装置。【選択図】        図１
2006218693.tif 000002
【特許請求の範囲】
【請求項１】
印刷結果を他人の視線に曝露しないよう包蔵するフィニッシング手段と、
包蔵物（封筒、包み紙など）の表面に、内部印刷物を特定可能な第一の情報を視認可能な状態で追加できる第一の情報付加手段と、
包蔵物の表面に、内部印刷物を特定可能な第二の情報を視認不可能な状態で追加できる第二の情報付加手段と、
を有することを特徴とする印刷装置。
【請求項２】
請求項１記載の印刷装置において、印刷装置主制御部より前記第一の情報及び第二の情報を、前記第一の情報付加手段及び第二の情報付加手段へ送信する機能を有することを特徴とする印刷装置。
【請求項３】
請求項１記載の印刷装置において、前記視認可能な第一の情報の情報量よりも、より多くの、内部印刷物を特定可能な情報を視認不可能な第二の情報は包含することを特徴とする印刷装置。
【請求項４】
請求項１記載の印刷装置において、前記視認可能な第一の情報は少なくとも印刷ジョブ固有情報、印刷により発生する料金情報等から成り、特に使用者のみ既知な保全に関する情報は含まれないことを特徴とする印刷装置。
【請求項５】
請求項１記載の印刷装置において、前記視認不可能な第二の情報には少なくとも印刷ジョブ固有情報、印刷により発生する料金情報、使用者のみ既知な保全に関する情報を含むことを特徴とする印刷装置。
【請求項６】
請求項１記載の印刷装置において、前記包蔵物の表面の視認不可能な第二の情報を、専用読み取り装置により、読み込むことで、印刷物の取り違え確認と、精算処理を実現できる機能を有することを特徴とする印刷装置。
【請求項７】
請求項６記載の印刷装置において、精算処理を行っていない前記包蔵物を所定領域外へ持ち出そうとすると、前記包蔵物の表面の視認不可能な第二の情報を検知する手段により、警報を発呼する機能を有することを特徴とする印刷装置。
【請求項８】
印刷結果を他人の視線に曝露しないよう包蔵するフィニッシング手段と、
包蔵物の表面に、内部印刷物を特定可能な第一の情報を視認可能な状態で追加できる第一の情報付加手段と、
包蔵物の表面に、内部印刷物を特定可能な第二の情報を視認不可能な状態で追加できる第二の情報付加手段と、
排紙部上に積層された包蔵物の各表面の、前記内部印刷物を特定可能な視認不可能な第二の情報を、読み込むことができる第一の情報読込手段を有することを特徴とする印刷装置。
【請求項９】
請求項８記載の印刷装置において、印刷装置主制御部より、前記第一の情報及び第二の情報を、前記第一の情報付加手段及び第二の情報付加手段へ送信する機能を有し、前記第一の情報読込手段から、前記排紙部上の積層された包蔵物の各表面の、前記内部印刷物を特定可能は視認不可能な第二の情報を、印刷装置主制御部へ送信する機能を有することを特徴とする印刷装置。
【請求項１０】
請求項８記載の印刷装置において、前記視認可能な第一の情報の情報量よりも、より多くの内部印刷物を特定可能な情報を視認不可能な第二の情報は包含することを特徴とする印刷装置。
【請求項１１】
請求項８記載の印刷装置において、前記視認可能な第一の情報は少なくとも印刷ジョブ固有情報、印刷により発生する料金情報などからなり、特に使用者のみ既知な保全に関する情報は含まれないことを特徴とする印刷装置。
【請求項１２】
請求項８記載の印刷装置において、前記視認不可能な第二の情報には少なくとも、ユーザ固有情報、印刷ジョブ固有情報、印刷により発生する料金情報、使用者のみ既知な保全に関する情報を含むことを特徴とする印刷装置。
【請求項１３】
請求項８記載の印刷装置において、前記第一の情報読込手段により排紙部上の各包蔵物の前記視認不可能な第二の情報を監視して、前記第二の情報内のユーザ固有情報が同一の包蔵物が、時を同じくせず取り去られた場合は、警報を鳴らす機能を有することを特徴とする印刷装置。
【請求項１４】
請求項８記載の印刷装置において、前記包蔵物の表面の視認不可能な第二の情報を専用読み取り装置により、読み込むことで、印刷物の取り違え確認と、精算処理を実現できる機能を有することを特徴とする印刷装置。
【請求項１５】
請求項１４記載の印刷装置において、精算処理を行っていない前記包蔵物を所定領域外へ持ち出そうとすると、前記包蔵物の表面の視認不可能な第二の情報を検知する手段により、警報を発呼する機能を有することを特徴とする印刷装置。
【請求項１６】
印刷結果を他人の視線に曝露しないよう包蔵するフィニッシング手段と、
特定の印刷結果を包蔵する包蔵物の表面に不可視の状態で書き込まれた第一の情報を読み込むことが可能な第一の情報読込手段と、
排紙部に積層された複数の前記包蔵物の第一の情報を読み込むことが可能な第二の情報読込手段と、
表面に、内部印刷物を特定可能な第一の情報を視認可能な状態で追加できる第ニの情報付加手段と、
を有することを特徴とする印刷装置。
【請求項１７】
請求項１６記載の印刷装置において、印刷装置主制御部に前記第一及び第二の情報読込手段からの情報を送信する機能を有することを特徴とする印刷装置。
【請求項１８】
請求項１６記載の印刷装置において、前記視認不可能な第一の情報は包蔵物を特定する固有情報であることを特徴とする印刷装置。
【請求項１９】
請求項１６記載の印刷装置において、印刷を実行するに当たり、使用者にパスワードの登録を要求し、該パスワードと印刷に使用される包蔵物の固有情報（第一の情報）の対応テーブルを前記第一の読込手段からの情報により、印刷装置主制御部に作成する機能を有することを特徴とする印刷装置。
【請求項２０】
請求項１６記載の印刷装置において、排紙部上の包蔵物を使用者が取り去るに当たり、印刷装置がユーザに前記パスワードの入力を要求し、前記対応テーブルにより特定された第一の情報をもつ包蔵物以外の包蔵物が取り去られた場合は、警報を発呼することを特徴とすることを特徴とする印刷装置。
【発明の詳細な説明】
【技術分野】
【０００１】
本発明は，コンビニエンスストアなどに設置され、商用プリントサービスに使用される印刷装置及び印刷装置とサーバ、クライアントからなる印刷装置に関する。
【背景技術】
【０００２】
現在、撮影機能付携帯電話や高機能ＰＤＡ（携帯情報機器）の登場により、ユーザがデジタルコンテンツを手軽に持ち歩く環境が整いつつある。近い将来に、旅先で携帯情報機器により撮影した高解像度写真を、近くのコンビニエンスストアで即座に印刷＆コピーすることが可能となる。従来からある、自宅のパソコンからコンビニエンスストアのプリンタへ印刷を依頼するネットプリントサービスに加え、高機能携帯情報機器によるコンビニエンスプリンタでのダイレクト印刷が盛んに行われることが予想される。
【０００３】
ダイレクトプリントとネットプリントの複数の印刷ジョブが集中すると、ジョブ開始から完了までユーザが印刷装置本体を占有するような状況では、ジョブ処理効率が非常に落ちてしまうため、例え、ユーザが印刷装置本体から離れた場合でも、印刷装置に入力された印刷ジョブを自動的に順に処理することが望ましいが、それに伴い、印刷したジョブの内容を第三者の視線から遮る機能が要求されると考えられる。
【０００４】
特許文献１で示すように、小さな粘着物により印刷物を接着仮止めして印刷結果を紛れさせないようにするというアイディアが提案されている。また特許文献２では写真を印刷し、その印刷結果を封筒に入れ、封筒に宛名とインデックス画像をプリントしてユーザに郵送するＤＰＥサービスも提案されている。
【特許文献１】特開平５−２７８９２７号公報
【特許文献２】特開２００１−９４６９５号公報
【発明の開示】
【発明が解決しようとする課題】
【０００５】
しかしながら、多くのユーザが使用し、かつ印刷行為に課金が発生するコンビニエンスショッププリンタにはオフィスで使用されるプリンタに求められる以上の内容の秘匿性と容易な印刷結果選別機能の両立、さらに万引き防止機能を含んだ簡略化した課金機能が要求される。
【０００６】
特許文献１では印刷結果の選別機能に、特許文献２では印刷結果の秘匿性に十分な配慮がなされていなかった。
【０００７】
本発明においては近い将来のコンビニエンスプリンタに求められる、印刷結果の秘匿性と容易な選別性及び印刷結果の取り残し、取り違えを防ぐ機能を実現し、ユーザが安心して使用できる印刷装置を提供することを目的とする。
【課題を解決するための手段】
【０００８】
上記目的を達成するために、請求項１〜７に係る印刷装置にあっては、まず印刷装置に封筒インサート機能付フィニッシャを接続する。封筒フィニッシャは印刷物をフィニッシャ内で封筒に挿入し、排出するものであるが、他社から印刷内容を見られないようにするのであれば、印刷用紙よりも一回り大きい用紙で印刷結果を包み込む包み印刷でもよい。前記フィニッシャのインサート部に装填される封筒或いは包み紙には、無線通信により情報を保存できる、ＲＦ−ＩＤタグが添付されていて、前記フィニッシャ内には前記ＲＦ−ＩＤタグ付き封筒に不可視とすべき情報を書き込めるＲＦ−ＩＤライタと、同ＲＦ−ＩＤタグ付き封筒に可視とすべき情報を印字できる、小型印刷装置が実装されている。一方印刷装置本体には、ＰＤＡ、高性能携帯電話などの、高機能携帯機器から印刷データを直接入力できる印刷データ入力部と、インターネットに接続する通信制御部、前記フィニッシャ内のＲＦ−ＩＤライタと小型印刷装置への書き込みデータを生成する印刷装置主制御部を有する事により、印刷結果内容をユーザが印刷装置の近傍に居なくても第三者の視線から隠し、かつ印刷結果の取り違えを防ぎ、コンビニエンスストアでの精算処理を容易にし、非精算のまま印刷結果を持ち去る万引きを防止する事が可能となる。
【０００９】
また、請求項８〜１５に係る印刷装置にあっては、前記請求項１〜７に係る印刷装置の構成手段に加え、封筒フィニッシャの排紙ビン上の印刷結果を包蔵した封筒のＲＦ−ＩＤタグを監視するＲＦ−ＩＤリーダを有し、印刷装置本体にさらに警報器を有する事により、印刷結果内容をユーザが印刷装置の近傍に居なくても第三者の視線から隠し、かつ印刷結果の取り違え、取り忘れ、置き去りを防ぎ、コンビニエンスストアでの精算処理を容易にし、非精算のまま印刷結果を持ち去る万引きを防止する事が可能となる。
【００１０】
さらに、請求項１６〜２０に係る印刷装置にあっては、封筒フィニッシャ＋印刷装置のシステムにおいて、前記フィニッシャのインサート部に装填される封筒或いは包み紙には、封筒ＩＤ情報を書き込み済みのＲＦ−ＩＤタグが添付されていて、前記フィニッシャ内には現在印刷中のＪＯＢを包蔵する封筒の封筒ＩＤ情報を印刷装置主制御部が読み込み可能な  ＲＦ−ＩＤリーダＡと封筒フィニッシャの排紙ビン上の印刷結果を包蔵した封筒の封筒ＩＤを監視するＲＦ−ＩＤリーダＢを有し、印刷装置本体にさらに警報器と先払い精算が可能なコインロボットを有する事により、印刷結果内容をユーザが印刷装置の近傍に居なくても第三者の視線から隠し、かつ印刷結果の取り違え、取り忘れを防ぐ事が可能となる。
【００１１】
なお、さらに説明すれば、本発明の第一の発明について下記のように示す。
【００１２】
（１）印刷結果を他人の視線に曝露しないよう包蔵するフィニッシング手段と、
包蔵物（封筒、包み紙など）の表面に、内部印刷物を特定可能な第一の情報を視認可能な状態で追加できる第一の情報付加手段と、
包蔵物の表面に、内部印刷物を特定可能な第二の情報を視認不可能な状態で追加できる第二の情報付加手段と、
を有することを特徴とする印刷装置。
【発明の効果】
【００１３】
本発明において、コンビニエンスストア設置プリンタなど、公衆商用使用の印刷装置において、印刷結果を不可視と出来る、封筒或いは包み印刷フィニッシャを使用し、印刷結果を特定するための、ユーザのみ知りえるクローズな情報は不可視な情報保存手段により、印刷物に追加し、印刷結果を特定するための秘密度の低いオープンな情報は可視の情報保存手段により、印刷物に追加する機能を実現する事で、印刷結果内容をユーザが印刷装置の近傍に居なくても第三者の視線から隠し、かつ印刷結果の取り違え、取り忘れ、置き去りを防ぎ、コンビニエンスストアでの精算処理を容易にし、非精算のまま印刷結果を持ち去る万引きを防止する事が可能となる。
【発明を実施するための最良の形態】
【００１４】
本実施例の構成を説明する前に、本発明のベースとなる印刷装置としてのカラーＭＦＰ（複合機）の一般的な構成とＲＦ−ＩＤタグシステム、コンビニエンスストアネットプリントサービスについて説明する。
【００１５】
まず、カラーＭＦＰに関して、図２、３、４を用いて説明する。
【００１６】
なお、本実施例を適用するプリンタ部は、カラーレーザ方式に限られるものではなく、モノクロレーザ方式、ＬＥＤプリント方式、インクジェットプリント方式等、他のプリント方式でも良いことは言うまでもない。
【００１７】
図２は本発明を適用可能な印刷装置の構成を示すブロック図であり、カラーレーザＭＦＰの場合を示す。
【００１８】
図において、１６００はＭＦＰ本体であり、大きくリーダ部１３００、画像生成部１４００及びプリンタ部１５００に分割される。メカ構造的にはＭＦＰはリーダユニットとプリントユニットに大別されるが、画像生成部１４００は製品によって、リーダユニットに取り込まれたり、プリントユニットに内蔵されていたり実現方法は様々である。
【００１９】
以下、複写プロセスについて簡単に述べる。
【００２０】
リーダ部１３００では、原稿台に置かれた原稿に原稿照明ランプ１３１１から光を照射するとその反射光はミラー１３１２により、レンズ１３１３を通って、ＣＣＤ（電荷結合素子）１３５１へ入力される。ＣＣＤ１３５１では、フィルタで光の三原色に分解されたＲＧＢ原稿画像情報が検知され、Ａ／Ｄコンバータによりデジタル信号に変換された後、画像生成部１４００内の画像処理手段１４１１へと送信される。画像処理手段１４１１においてはシェーディング補正、下地除去、文字判定、変倍、画像加工、濃度処理、黒検出、偽造防止追跡処理などの様々な画像処理に加え、ＲＧＢ色空間からＹＭＣＫ色空間へ色変換を実行した後、ＹＭＣＫ印刷ビデオデータを、プリンタ部１５００のビデオＩ／Ｆ制御手段１５４０へと転送する。
【００２１】
１４１２はパソコンあるいはＦＡＸ、Ｅｍａｉｌからの印刷データをＹＭＣＫ印刷データに変換するプリンタ機能制御手段である。本手段により複写機はプリンタ機能を実現することとなる。
【００２２】
１４１３はネットワーク、電話回線と画像データとの送受信を司る通信制御手段である。本手段により、複写機はＦＡＸ機能を有することとなり、印刷装置がＦＡＸまたはＥｍａｉｌのＳｅｎｄモードの場合、リーダ部１３００からの画像情報は圧縮されて通信制御手段１４１３により外部回線へ出力される。
【００２３】
一方、印刷装置がコピーまたはプリンタモードの場合、ビデオＩ／Ｆ制御手段１５４０内のバッファメモリに格納されたＹＭＣＫビデオデータは不図示のＰＷＭ（パルス幅変調）回路により、レーザのスポット系を表すビデオデータに変換され、レーザドライバ１５０２を駆動して、感光ドラム１５０６にレーザ光を照射し、静電潜像を形成する。
【００２４】
次に図３、４を用いてプリンタ部１５００の動作についてより詳しく説明する。
【００２５】
１５００はカラーレーザＭＦＰのプリンタ部であり、リーダ部１３００からの入力多値画像データに応じて変調したレーザビームを感光ドラム上に走査することにより潜像を形成し、これを記録紙に転写した後定着させるという一連の電子写真プロセスによる記録を行なう。
【００２６】
画像生成部１４００とプリンタ部１５００はインタフェース信号線１２００によって接続されている。主なインタフェース信号として、／ＲＤＹ，／ＰＲＮＴ，／ＴＯＰ，／ＬＳＹＮＣ、ＶＤＯ７〜ＶＤＯ０、ＶＣＬＫがあり、以下これについて簡単に説明する。
【００２７】
／ＲＤＹ信号は、コントローラに対してエンジンから送出される信号であって、エンジンが後述する／ＰＲＮＴ信号を受ければいつでもプリント動作を開始できる状態、またはプリント動作を継続できる状態にあることを示す信号である。
【００２８】
／ＰＲＮＴ信号は、エンジンに対してコントローラから送出される信号であって、プリント動作の開始、またはプリント動作の継続を指示する信号である。
【００２９】
／ＴＯＰ信号は、副走査（垂直走査）方向の同期信号であって、コントローラに対してエンジンから送出される。
【００３０】
／ＬＳＹＮＣ信号は、主走査（水平走査）方向の同期信号であって、コントローラに対してエンジンから送出される。ＶＤＯ７〜ＶＤＯ０信号は、エンジンに対してコントローラから送出される画像信号であって、エンジンが印字すべき画像濃度情報を示す。ＶＤＯ７が最上位、ＶＤＯ０が最下位の８ビットで表わされる。エンジンでは、ＶＤＯ７〜ＶＤＯ０信号がＦＦＨで現像中のトナー色の最大濃度で印字し、００Ｈで印字しない。これらは転送同期信号ＶＣＬＫに同期して送出される。
【００３１】
プリンタ部１５００は／ＰＲＮＴ信号を受け取ると、不図示の駆動手段により、感光ドラム１５０６及び転写ドラム１５０８を図示矢印方向に回転させる。続いて、ローラ帯電器１５０９の帯電を開始し、感光ドラム１５０６上の電位を所定の値に均一に帯電する。次に、給紙ローラ１５１１によって、転写紙カセット１５１０から転写紙１５２８を転写ドラム１５０８に給紙する。転写ドラム１５０８は、中空の支持体上に誘電体シートを張ったもので、感光ドラム１５０６と同速で矢印方向に回転する。この転写ドラム１５０８に転写紙１５２８が供給されると、転写ドラムの支持体上に設けられたグリッパ１５１２によって転写紙１５２８が保持され、吸着ローラ１５１３及び吸着用帯電器１５１４により転写紙１５２８を転写ドラム１５０８に吸着させる。同時に、現像装置の支持体１５１５を回転させて、支持体１５１５に支持された４つの現像装置１５１６Ｍ、１５１６Ｃ、１５１６Ｙ、１５１６ＢＫのうち、第１のトナーであるマゼンタのトナーが入った現像装置１５１６Ｍを感光ドラム１５０６に対向させる。なお、１５１６Ｃはシアンのトナーが入った現像装置、１５１６Ｙはイエローのトナーが入った現像装置、１５１６Ｂｋはブラックのトナーが入った現像装置である。
【００３２】
一方、プリンタ部１５００は、転写ドラム１５０６に吸着された転写紙１５２８の先端を検出器１５１７によって検出し、所定のタイミングで垂直同期信号／ＴＯＰを発生してリーダ部１３００に送出する。リーダ部１３００は印字ページに対する最初の／ＴＯＰ信号を受け取ると、バッファメモリに格納されている画像データのうち、第１の印字色であるマゼンタのデータを所定のタイミングで読み出す。読み出された８ビットの画像データＤ７〜Ｄ０は、画像信号ＶＤＯ７〜ＶＤＯ０としてＶＣＬＫ信号に同期してプリンタ部に送出される。
【００３３】
リーダ部１３００より出力されたＶＤＯ７〜ＶＤＯ０信号は図４に示すようにパルス幅変調回路１５０１に入力され、レベルに応じたパルス幅（２５６段階）のレーザ駆動信号ＶＤＯとなり、レーザドライバに送出される。後述する現像時において、レーザ駆動信号ＶＤＯのパルス幅に応じてトナーの付着量が調節でき、それにより、各色２５６階調の濃淡が再現される。
【００３４】
次に、図４において前記レーザ駆動信号ＶＤＯに応じて駆動されるレーザダイオード１５０３からのレーザビーム１５２７は不図示のモータにより矢印方向に回転駆動される回転多面鏡１５０４で偏向され、光路上に配置された結像レンズ１５０５を経て、感光ドラム１５０６上を主走査方向に走査し、感光ドラム１５０６上に潜像を形成する。このとき、ビームディテクタ１５０７はレーザビームの走査開始点を検出し、この検出信号から主走査の画像書き出しタイミングを決定するための水平同期信号である／ＬＳＹＮＣ信号が生成される。
【００３５】
以上述べた主走査の動作が繰り返されて１ページ分のマゼンタの潜像が感光ドラム１５０６上に形成されていく。
【００３６】
図３に戻り、感光ドラム１５０６上に形成された潜像は上記マゼンタのトナーが入った現像装置１５１６Ｍによって現像され、マゼンタのトナー像となる。このマゼンタのトナー像は、転写用帯電器１５１９により、回転する転写ローラ１５０８に吸着されている転写紙１５０８に転写される。この際、転写されずに感光ドラム１５０６上に残ったトナーはクリーニング装置１５２５によって除去される。以上の動作により、転写紙１５２８上に１ページ分のマゼンタのトナー像が形成される。
【００３７】
次に、現像装置の支持体１５１５を回転させて、第２のトナーであるシアンのトナーが入った現像装置１５１５Ｃを感光ドラム１５０６に対向させる。続いて、マゼンタのときと同様に、転写ローラ１５０８に吸着されたまま回転する転写紙１５２８の先端を検出器１５１７で検出し、垂直同期信号／ＴＯＰを発生してリーダ部１３００に送出する。これを受けてリーダ部１３００はバッファメモリからシアンのデータを読み出す。以下、同様の動作により、転写紙１５２８上にはマゼンタのトナー像に重ねてシアンのトナー像が転写される。
【００３８】
更に、同様にして第３のトナーであるイエロー、第４のトナーであるブラックのトナー像が転写紙１５２８上に重ねて転写され、フルカラーのトナー像となる。
上記４色のトナー像が全て転写された転写紙１５２８は、分離帯電器１５２０を経て、分離爪１５２１によって転写ドラム１５０８から剥がされ、搬送手段１５２２により定着装置１５２３に供給される。また、このとき、転写ドラムクリーナ１５２６によって転写ドラム表面の清掃が行なわれる。
【００３９】
転写紙上のトナー像は定着装置１５２３で加熱、加圧されることによって熔融固着され、最終的なカラー出力画像となる。そして記録の終了した転写紙は排紙トレイ１５２４に排紙される。
【００４０】
カラーパッチ検査センサ１５３１はキャリブレーションと呼ばれる色濃度補正処理の際に使用される濃度センサである。転写ドラム上に定められた各種濃度のカラーパッチパターンを現像し、その濃度を測定して、規定値と合わなければ濃度補正量を調整して適切な濃度再現性を得るものである。
【００４１】
以上が本発明で使用する一般的なカラーＭＦＰの構成、機能に関する説明である。
【００４２】
次に本実施例で使用される無線読込可能なメモリ（ＲＦ−ＩＤタグ）と情報を読み書きできるＲＦ−ＩＤリーダライタの構成要素に関して図５にて説明する。ＲＦ−ＩＤタグ５２０は、図５に示すように、後述するリーダライタ５００の一対の送受信コイルに対応して相互誘導作用を利用して夫々と電磁誘導結合する電力用コイル５２１及び送受信用コイル５２２と、電力用コイル５２１の誘導起電力を全波整流して動作電力を形成する電源部５２３と、この電源部５２３からの動作電力によって作動する送受信用コイル５２２に接続されたデータ送信回路５２４及びデータ受信回路５２５と、これらデータ送信回路５２４及びデータ受信回路５２５に接続されたマイクロプロセッサを内蔵する制御回路５２６と、この制御回路５２６に接続された不揮発性メモリ５２７とを備えている。
【００４３】
一方、ＲＦ−ＩＤタグ５２０の不揮発性メモリ５２７に対してアクセスするリーダライタ５００は、図５に示すように、水晶発振子５０２で発振させたクロック信号を増幅器５０３で増幅して電力供給コイル５０４に供給する電力送信回路５０５と、水晶発振子５０２のクロック信号が供給されるマイクロプロセッサ５０６と、このマイクロプロセッサ５０６に接続されたデータ送信回路５０７及びデータ受信回路５０８と、これらデータ送信回路５０７及びデータ受信回路５０８が接続されたデータ送信コイルアンテナ５０９と、マイクロプロセッサ５０６に接続された予め作成された書込情報を格納すると共に、ＲＦ−ＩＤタグ５２０から読出した履歴情報を記憶するメモリ５１０と、マイクロプロセッサ５０６に接続された書込情報及び履歴情報を表示する液晶ディスプレイ５０１とを備えている。
【００４４】
ここで、データ送信回路５０７は、コイルの相互誘導作用を利用してデータの送信を行うために、マイクロプロセッサ５０６からの送信データを例えばＮＲＺ符号等に符号化し、この符号化データを所定周波数の搬送波を使用した例えばＰＳＫ方式のデジタル変調を行って、このデジタル変調信号を増幅器とブリッジドライブ回路を介してデータ送信コイルアンテナ５０９に供給して、ＲＦ−ＩＤタグ５２０側に送信する。
【００４５】
一方、データ受信回路５０８では、ＲＦ−ＩＤタグ５２０からの送信データをコイルアンテナ５０９で受信すると、差動入力バッファで受信して電磁変換した信号からバンドパスフィルタで所定周波数を中心とする有効帯域成分を抽出し、これを増幅器で増幅してからＰＳＫ方式の復調処理を行うことにより復調データを得ると共に、この復調データをＮＲＺ符号等に基づく復号処理を行って、読取データを生成し、これをマイクロプロセッサ５０６に入力する。
【００４６】
そして、マイクロプロセッサ５０６では、ＲＦ−ＩＤタグ５２０に対する情報の書込及び読出を行うデータ処理を実行し、ＲＦ−ＩＤタグ５２０の不揮発性メモリ５２７に情報を書込むと共に、格納されている情報を読出すデータ処理を実行する。
【００４７】
以上が一般的なＲＦ−ＩＤリーダライタとＲＦ−ＩＤタグの構成要素及び動作の概要である。
【００４８】
さらに現在運用されていて、本実施例でも言及されるコンビニエンスストアでのネットワークプリントサービスに関して、図６を用いて説明する。
【００４９】
図６において本サービスを成り立たせるために３つの構成要素＝文書登録者のクライアントＰＣ、ネットプリント専用サーバ、各コンビニエンスストアに設置されたプリンタが必要である。そしてそれら３構成要素は全てインターネットワークにより接続されている。実際にプリントを行うには以下の手順を踏むこととなる。
【００５０】
１  文書の登録：文書登録者のクライアントＰＣからネットプリント専用サーバのＷＥＢ画面にアクセスして、印刷するファイルをアップロードする。
ネットプリント専用サーバは印刷文書の保管とネットプリントＷＥＢページの公開の機能を有する。
【００５１】
２  プリント予約番号の発行：ネットプリント専用サーバはプリント予約受け付け番号を文書登録者のクライアントＰＣにＷＥＢページにより表示して、発行する。
【００５２】
３  予約受付番号のメモ：文書登録者は予約受付番号をメモする。この番号はコンビニエンスストアでの印刷の際の文書の選択と、印刷許可のパスワードの機能をもつ。
【００５３】
４  印刷データの生成とコンビニエンスストアプリンタへの転送：ネットプリント専用サーバは登録された印刷ファイルから、印刷データ（．Ｐｒｎ  Ｆｉｌｅ）を生成し、指定されたコンビニエンスストアプリンタヘ送信して、該プリンタ内の記憶装置に保存しておく。
【００５４】
５  文書の印刷：コンビニエンスストアへ赴いた文書登録者はプリンタの操作パネルより予約受付番号を入力し、プリンタ内の記憶装置に保存しておいた登録文書の印刷を実行する。
【００５５】
以上が現在運用されているコンビニエンスストアプリンタのネットワークプリントサービスの概要である。
【００５６】
本発明は以上説明したカラーＭＦＰ、ＲＦ−ＩＤタグ読み書きシステム、コンビニネットワークプリントサービスをベースに、今後、使用需要が飛躍的に拡大することが予想される、コンビニエンスストアプリントサービスにおいて、特にセキュリティ機能を重視したコンビニエンスストア専用プリンタを提案するものである。
【実施例】
【００５７】
以下に各実施例についての詳細を述べる。
【００５８】
［第一実施例］
図１に本発明の第一実施例である印刷装置のブロック図と特徴的な構成要素を示す。１は印刷装置本体で印刷機能をもつ。２は印刷装置の全ての制御を司るＭＦＰ主制御部である。ここではプリンタ機能の他にコピー機能を内蔵していることを踏まえてＭＦＰ（Ｍｕｌｔｉ  Ｆｕｎｃｔｉｏｎ  Ｐｅｒｉｐｈｒａｌ）と称す。３はコピーデータ、プリントデータを一時保管する大容量メモリであるＨＤＤ。４はＬＣＤと入力キーから成る表示入力部である。５はＰＤＡ（携帯情報機器）あるいは高機能携帯電話などの高機能携帯機器３３からの印刷データを受信できるデータ入力部である。さらにＳｍａｒｔＭｅｄｉａ(登録商標)，ＳＤＣａｒｄなどの携帯メモリを直接挿入できるＩＣカードスロットも有す。ＭＦＰ主制御部２の内には演算装置であるＣＰＵ６，プログラムを格納したＲＯＭ７、ワーク領域であるＲＡＭ８、表示入力部４を制御するオペパネ制御部９、印刷に必要な画素単位データであるビットマップデータを生成する描画部１０、ネットワーク３２或いはデータ入力部５からの印刷データの入力を司る通信制御部１１、レーザ駆動、搬送モータ駆動、現像器駆動、定着器制御などを行うエンジン制御部１２が実装されている。１３はインサート部にセットされた封筒１４に印刷結果１９をしまって排紙ビン１８上に排出する封筒フィニッシャである。封筒１４にはＲＦＩＤタグ１５が貼付されている。ここで図１では封筒１４を用いて印刷結果１９を仕舞う機能を示しているが、封筒の代わりに印刷結果１９より大きな用紙で印刷結果１９を包んで排紙する包み機能を有した包みフィニッシャであっても、全く同様である。本特許では便宜上、封筒を用いた印刷結果の目隠し効果について論ずるが、包み紙に置き換えても成り立つことをここに申し添えておく。
【００５９】
封筒フィニッシャ１３の内部にはＲＦ−ＩＤライタ１６があり、ＭＦＰ主制御部２からの各種情報をインサート部から引き込んだ封筒１４のＲＦ−ＩＤタグ１５に書き込むことが可能である。さらにバブルジェット(登録商標)方式の小型プリンタである小型印刷装置１７は封筒１４の表面に封筒内部に仕舞った印刷結果のファイル名と料金情報を印字することが可能である。
【００６０】
２３はコンビニエンスストアのレジスタ台である。２１は従来のバーコードリーダに当たるＲＦ−ＩＤリーダで商品に添付されたＲＦ−ＩＤタグの情報を読み取ることで、品名、料金、その他の付帯情報をレジスタ２２に読み込むことが可能である。店舗入り口２６にもＲＦ−ＩＤリーダが設置されており、精算処理を行わなかったＲＦ−ＩＤタグを添付した商品が通過すると、警報機２５から警報が鳴り、万引き行為を防止できる。
【００６１】
次に図７により、本実施例１におけるコンビニエンスストアでのプリントサービスのフローについて説明する。
【００６２】
まず、店舗に来店し、所有のＰＤＡ、携帯電話などに格納した写真画像を印刷する、ダイレクトプリントの場合を説明する。印刷装置１のデータ入力部５から無線ローカルインターフェース（ＩｒＤＡ，Ｂｌｕｅｔｏｏｔｈなど）或いは所定印刷画像データを格納したメモリカードを挿入して印刷ＪＯＢをＭＦＰ主制御部２へ送信する。
【００６３】
ここで図８により、その時の操作パネルの表示と操作についてより詳細に説明する。
【００６４】
表示入力部４には機能の選択ボタンが表示されている。この場合は“携帯プリント”を選択する。次いで、表示が変わり、携帯機器３３を無線Ｉ／Ｆ受信部に近接させるか、携帯機器３３からメモリカードを抜き取り、メモリカードスロット（共にデータ入力部５に含む）に装着するかを促す。ユーザが携帯機器３３を近接して、印刷装置１と通信可能状態になると、表示入力部４は“デバイス認識中”と表示して、ユーザの携帯機器３３内で、印刷可能なデータを検索し、一覧として表示する。ここでユーザが印刷したいファイルを選択（勿論複数選択してよい）すると、印刷装置１は選択した印刷データを受信して、“データ受付中”と表示する。そして、ユーザに登録時の証明となるパスワードの入力を要求する。ユーザが所定文字数のパスワードを入力すると印刷ＪＯＢの受付が終了となる。ユーザは精算時にパスワードを店員に告げることで本人確認をしてもらうため、パスワードは忘れてはならない。
【００６５】
再度、図７に戻り、印刷装置の処理フローの説明を続ける。印刷装置１は受け付けた印刷ＪＯＢの印刷を開始し、印刷途中のページは封筒フィニッシャ１３内に一次格納される。平行して、インサータ部から引き込まれたＲＦ−ＩＤ貼付封筒１４上のＲＦ−ＩＤタグ１５に、ＲＦ−ＩＤライタ１６により印刷ＪＯＢのファイル名、料金情報、パスワード情報が書き込まれる。前記３つの情報は全て、ＭＦＰ主制御部２より送信されるデータである。さらに小型印刷装置１７により、封筒１４の表面に印刷ＪＯＢのファイル名と料金情報が印字され、これによりユーザは自分の登録した印刷ＪＯＢがどの封筒に入っているかを知ることができる。また印字する情報はＭＦＰ主制御部２より送信されるデータである。フィニッシャ１３内で印刷結果１９が封筒１４に挿入され、排紙ビン１８へと排出される。排紙ビン１８上に複数の印刷結果がドンドン溜まっていくが、ユーザはその中から封筒１４上に印字された自分のファイル名を手掛かりに、自分の印刷結果１９の仕舞われた封筒１４を選び、レジスタ台２３へ他の商品と一緒に持っていく。店員は他の商品と同様に封筒１４にＲＦ−ＩＤリーダ２１を近接して、封筒１４に貼付されたＲＦ−ＩＤタグ１５のデータをレジスタ２２へ読み込む。ＲＦ−ＩＤタグ１５には料金情報とパスワード情報が書きこまれており、レジスタ２２には該情報が表示される。店員が口頭でユーザにパスワードを告げるよう依頼し、ユーザは覚えていたパスワードを告げて、それがレジスタ２２に表示している情報と一致すれば、本人確認が出来たこととなり、所定の料金の支払いを依頼する。もしユーザの告げたパスワードがレジスタに表示された情報と異なっていた場合、本人確認が出来なかったこととなり、店員はユーザに間違えを指摘して、正しい封筒１４と印刷結果１９をもって来るよう依頼する。間違えられた別の人の印刷結果はレジスタ台２３に保管され、正規のユーザが問い合わせることを待つ。
【００６６】
以上がダイレクトプリントの場合の処理フローである。
【００６７】
次にクライアントＰＣがコンビニエンスストアとは別の場所にあり、従来例で示したようにネットプリンタ専用サーバを用いて印刷する場合のフローを図７、図９にて説明する。図７の、印刷装置がユーザの印刷ＪＯＢの印刷を開始した以降は、前述のダイレクトプリントの場合と同一である。ユーザが来店以降、印刷ＪＯＢの印刷を開始させるまでの操作フローを図９にて説明してあるので、その部分の詳細を述べる。
【００６８】
図９にて表示入力部４には機能の選択ボタンが表示されている。ここでは“ネットプリント”を選択する。次いで、表示が変わり、クライアントＰＣから印刷ＪＯＢを登録した際に、ＷＥＢサーバより入手したパスワードの入力を要求される。ユーザが正しい登録パスワードを入力すると、印刷装置１は内部のＨＤＤ３より、既に格納済みの当該ユーザからの印刷データを読み出し、“ＪＯＢ認識中”と表示し、印刷データの一覧を表示する。ユーザは印刷データ一覧から印刷したいデータのみを選択する。以上で印刷ＪＯＢの受付が終了となる。これ以降の処理、操作フローはダイレクトプリント時と同一となる。以上がネットプリントの場合の処理フローである。
【００６９】
もしユーザが悪意を持ち、レジスタに拠らずに印刷結果を店外に持ち出そうとすると、出入り口のＲＦ−ＩＤリーダ２４により、封筒１４のＲＦ−ＩＤタグ１５内のデータを読み込み、レジスタ未処理物店外持ち出しと判断して警報器２５を作動することが可能であるが、この場合ＲＦ−ＩＤタグ１５に店舗の他の商品と同様に、この店舗の商品であるという情報を前もって書き込んで置けばよい。
【００７０】
［第二実施例］
第一実施例では、一部取り忘れ或いは悪意の一部置き去りへの対策が講じられていなかった。悪意の一部置き去りとは例えば、印刷時の用紙サイズや、印刷モード（高解像度／低解像度印刷、モノクロ／カラー印刷など）の設定を間違えて、余分に印刷した時に、レジスタ台にもって行かなければ、料金を支払わなくても済んでしまう。本実施例ではこの問題を解決するために、取り忘れ／置き去り防止機能を追加するものである。
【００７１】
図１０に本発明の第二実施例におけるコンビニエンスストアプリンタのブロック図と構成要素を示す。図中既に説明済みの構成要素に関しては既出の符号を付け説明を省略する。
【００７２】
４１は本第二実施例を実現した印刷装置本体で印刷機能をもつ。４２は印刷装置の全ての制御を司るＭＦＰ主制御部である。４３はＰＤＡ（携帯情報機器）あるいは高機能携帯電話などの高機能携帯機器３３からの印刷データを受信できるデータ入力部である。第二実施例では特に高機能携帯機器のＩＤ情報を受け取れる機能を有している。４４はインサート部にセットされた封筒１４に印刷結果１９を仕舞って排紙ビン１８上に排出する封筒フィニッシャである。封筒１４にはＲＦ−ＩＤタグ１５が貼付されている。
【００７３】
封筒フィニッシャ４４の内部にはＲＦ−ＩＤライタ１６、小型印刷装置１７に加え、ＲＦ−ＩＤリーダ４５が設置されている。
【００７４】
ＲＦ−ＩＤライタ１６はＭＦＰ主制御部４２から送信された各種情報を、インサータから引き込まれた封筒１４に貼付されたＲＦ−ＩＤタグ１５に書き込むが、本第二実施例では第一実施例の書き込み情報（印刷ＪＯＢのファイル名、料金情報、パスワード情報）に加え、印刷指定したユーザのユーザＩＤ情報を書き込むことを特徴とする。ユーザＩＤとはダイレクトプリントの場合はデータ入力部４３から入力されたデバイスＩＤを使用し、ネットプリントの場合はネットプリント専用サーバにアクセスするために使用するユーザ登録ＩＤを使用することとする。
【００７５】
小型印刷装置１７はＭＦＰ主制御部４２から送信された各種情報を、インサータから引き込まれた封筒１４の表面に印字するが、本第二実施例では第一実施例の印字情報（印刷ＪＯＢのファイル名、料金情報）に加え、印刷指定したユーザのユーザＩＤ情報を印字することを特徴とする。これにより時間を空けて複数の印刷ＪＯＢを登録したユーザにとって、印字されたユーザＩＤを見ることで自分の登録ＪＯＢと判断できる。
【００７６】
ＲＦ−ＩＤリーダ４５は排紙ビン１８上に積み上げられた複数の封筒１４に貼付したＲＦ−ＩＤタグ１５の情報を読み取り、ＭＦＰ主制御部４２へ送信することで、後述する排紙ビン１８上の印刷結果１９の一部取り忘れ、置き去りを防止する、監視機能を実現する。４６は印刷装置本体４１に装着された警報器で、ＭＦＰ主制御部４２により発呼することが可能である。もしＲＦ−ＩＤリーダ４５の監視により一部取忘れを検知した場合は、警報器４６が発呼してユーザ及び店員へ注意を促す。
【００７７】
料金の支払い方法については第一実施例と同じく、レジスタ台でのＲＦ−ＩＤリーダ２１による料金情報の読込を採用し、店舗出入り口での万引き防止機能であるＲＦ−ＩＤリーダ２４と警報機２５についても同様である。
【００７８】
プリント処理の操作フローに関しては第一実施例とほぼ変わらないため割愛する事とする。
【００７９】
次に図１１、図１２により第二実施例おける印刷結果の一部取り忘れ（置き去り）防止機能について詳細に説明する。
【００８０】
図１１でＭＦＰ主制御部４２において、排紙ビン１８上の封筒１４に貼付されたＲＦ−ＩＤタグ１５に格納された情報をＲＦ−ＩＤリーダ４５により監視して、該格納情報からユーザＩＤ情報のみを抽出して監視遷移テーブルを作成する。なぜ、同様にＲＦ−ＩＤタグ１５に格納されたパスワード情報或いはファイル名情報を使用しないかというと、同一ユーザが時間を置いて２度異なる印刷ＪＯＢを登録する可能性があり、この様な場合でも、別々に出力した印刷結果を、同一ユーザのジョブとして認識するためである。監視遷移テーブルは以下のようなデータからなる。
【００８１】
【表１】
2006218693.tif 000003
【００８２】
ここで図１２により排紙ビン上のユーザＩＤタグがどのような状況になれば警報を鳴らすかについて説明する。印刷ＪＯＢがドンドン吐き出されて、ユーザＩＤタグが増えていく場合は警報は鳴らさない。あるユーザが自分の印刷結果を全て持ち去ってくれれば、その時特定ユーザＩＤタグの残数は０となり、この場合も警報は鳴らさない。但し、一部のみ取り去り、とり忘れが生じた場合は、残数が減ったにもかかわらず、０になっていないと認識でき、この時に警報をならすものである。よって、以上の手段の追加することで、取り忘れ及び置き去りを防止することが可能となる。他人の印刷を取り違えた場合は第一実施例にて説明済みのようにレジスタ台２３にて、その間違えが判明するので問題ない。
【００８３】
以上のようにフィニッシャ４４にＲＦ−ＩＤリーダ４５を追加することで、第一実施例で対応できなかった、印刷結果の取り忘れ、置き去りに対処することが可能となる。
【００８４】
［第三実施例］
第一実施例、第二実施例では、封筒に入れる或いは包み紙にて覆ってしまうために、誰の印刷結果か判り難いという問題に対処するために、封筒の表面にファイル名と課金情報を書き込む機能を追加したが、小型印刷装置がフィニッシャに必要であることと、ＲＦ−ＩＤタグ付きの封筒をユーザに渡すことがコスト高であるという問題点もある。
【００８５】
第三実施例では上記の課題に対応するため、より簡易な構成で、プリントサービスのコストを低く押さえるコンビニセキュリティプリンタを提案する。
【００８６】
図１３に本発明の第三実施例におけるコンビニエンスストアプリンタのブロック図と構成要素を示す。図中既に説明済みの構成要素に関しては既出の符号を付け説明を省略する。
【００８７】
５１は本第二実施例を実現した印刷装置本体である。５２は印刷装置の全ての制御を司るＭＦＰ主制御部である。５３はＲＦ−ＩＤタグ１５を貼付した封筒であるが、封筒表面には大きく封筒ＩＤが書かれていて、ＲＦ−ＩＤタグ１５にも封筒ＩＤと同一のＩＤ情報が書き込まれている（図１６参照）。また、封筒ＩＤの代わりに、カラーシールが貼られており、ＲＦ−ＩＤタグ１５にはその色を示すカラーＩＤ情報が格納されていても良い。何れにせよユーザが封筒を視認する情報と、同等の情報がＲＦ−ＩＤタグ１５に格納されていて、封筒５３は何度でも繰り返し使用される。５５は印刷ＪＯＢ毎に使用する封筒５３の封筒ＩＤを読み込むＲＦ−ＩＤリーダＡである。一方５６は排紙ビン１８上の、印刷結果１９を包蔵した封筒５３の封筒ＩＤを監視するためのＲＦ―ＩＤリーダＢである。ＲＦ−ＩＤリーダは複数のＲＦ−ＩＤタグの情報を読み込む際に、各タグの位置情報までは把握できないため、フィニッシャ５４にはＲＦ−ＩＤリーダが２器必要となる。またコストダウンのため第一、第二実施例のようにＲＦ−ＩＤライタ、小型印刷装置を有せず、料金情報を封筒５３に書き込むことは出来ない。代わりにコインロボ６０とＭＦＰ主制御部５２にコインロボ制御部５７を有することで、コインロボを用いた先払い制を採用している。
【００８８】
次に図１４、図１５、図１７により第三実施例おける印刷結果の一部取り忘れ（置き去り）防止機能について詳細に説明する。
【００８９】
図１４でＭＦＰ主制御部５２において、ＲＦ−ＩＤリーダＡからの情報により現在印刷中の印刷ＪＯＢがどの封筒ＩＤの封筒５３に仕舞われるかが判明し、それにより、ＪＯＢ登録時にユーザ或いはネットプリントにおけるプリントサービスサーバ３１により指定された“パスワード”との対応表を作成する（図１５参照）。
【００９０】
同じく図１４で、排紙ビン１８上の、封筒５３に貼付されたＲＦ−ＩＤタグ１５に格納された封筒ＩＤを、ＲＦ−ＩＤリーダＢ５６により監視して、現在排紙ビン１８にどの封筒ＩＤが存在するかをＭＦＰ主制御部５２へ伝えている。
【００９１】
次いで図１７により、取り忘れ監視ルーチンについて説明する。ユーザが印刷結果を引き取る前に、必ず自らのパスワードを入れてから、引き取らせるように表示入力部４に表示し（詳細は図１９により後述）、もしパスワードを入れなかったり、誤って他人の印刷結果を取り上げた場合は警報が鳴るようになっている。
【００９２】
まず、ユーザが当該パスワードを入力すると、ＭＦＰ主制御部５２は逐次作成しているパスワード＝封筒ＩＤ対応テーブルにより、対応する封筒ＩＤを表示入力部４に表示する。入力パスワードに対応する封筒ＩＤの封筒５３が取り去られた時のみ警報は発しないが、対応しない封筒ＩＤのいずれかが取り去られた場合は警報を鳴らして注意を呼びかける。以上で、取り違えを防止することができる。本実施例ではコインロボ６０による料金前払い制であるので、印刷結果置き去りに対しては対処の必要は無い。
【００９３】
図１８により第三実施例の処理フローについて簡単に説明する。第一、第二実施例との違いはコインロボによる前払い方式としたことである。
【００９４】
まず、携帯機器からのダイレクトプリントと外部クライアントからのネットプリントのいずれも、印刷ＪＯＢを印刷装置本体５１に登録して、パスワードを決定するまでは前述の第一、第二実施例と同一である。
【００９５】
印刷する印刷ジョブをＭＦＰ主制御部５２が認識すると、表示入力部４にページ数と印刷モード（カラー、モノクロ）から算出した料金が表示される。
【００９６】
ユーザが所定料金をコインロボに投入し、不足無いことをＭＦＰ主制御部５２が認識した時点で、初めて、印刷ＪＯＢの印刷を開始する。
【００９７】
印刷途中のページは封筒フィニッシャ５４内に一次格納される。平行して、インサータ部から引き込まれたＲＦ−ＩＤ貼付封筒５３上のＲＦ−ＩＤタグ１５に格納された封筒ＩＤ情報をＲＦ−ＩＤリーダＡが読込、ＭＦＰ主制御部５２に送信し、ＭＦＰ主制御部５２にて、パスワード＝封筒ＩＤ対応テーブルを逐次更新作成する。フィニッシャ５４内で印刷結果１９が封筒５３に挿入され、排紙ビン１８へと排出される。
【００９８】
ここで、図１９により、ユーザが印刷結果１９を引き取る際の、操作について説明する。排紙ビン１８への印刷結果１９の排出を終了した印刷装置本体はレディ状態でコマンドの入力を待っている。印刷物を引き取りに来たユーザは“印刷物引取り”キーを押し、印刷物引取りモードへ移行する。ユーザがパスワードを入力すると印刷装置本体５１は入力されたパスワードに対応する印刷結果がどの封筒に仕舞われているか、その封筒ＩＤを表示する。
【００９９】
ユーザが正しく自分の印刷結果を取り上げれば、ＲＦ−ＩＤリーダＢ５６が当該動作を認識し、ＭＦＰ主制御部５２は正常終了を認識し、表示入力部４の表示を変更する。もし、異なる印刷結果を取り上げた場合は同じく、ＲＦ−ＩＤリーダＢ５６が当該動作を認識し、警報を警報器４６より鳴らして、ユーザと店員の両方に注意を喚起させる。
【０１００】
再度図１８へ戻り、印刷結果を入れていた封筒５３は再びフィニッシャ５４のインサータ部に戻される。
【０１０１】
以上のように、印刷結果引取り時のパスワード入力は面倒な作業ではあるが、ＲＦ−ＩＤライタ、小型プリンタを不用とし、印刷結果を隠すための封筒を繰り返し使用することで、第一、第二実施例に較べ簡易に実現でき、サービスコストを押さえることができる。
【図面の簡単な説明】
【０１０２】
【図１】第一実施例のコンビニセキュリティプリンタブロック図
【図２】実施例のカラーＭＦＰのブロック図
【図３】実施例のカラーＭＦＰプリントエンジン部のブロック図
【図４】実施例のカラーＭＦＰプリントエンジン光学系のブロック図
【図５】従来例のＲＦ−ＩＤリーダライタとＲＦ−ＩＤタグを示す図
【図６】従来例のコンビニネットワークプリントサービスを示す図
【図７】第一実施例のコンビニセキュリティプリンタ動作フロー
【図８】第一実施例のＪＯＢ依頼時のパネル表示と操作１を示す図
【図９】第一実施例のＪＯＢ依頼時のパネル表示と操作２を示す図
【図１０】第二実施例のコンビニセキュリティプリンタブロック図
【図１１】第二実施例の印刷結果取り忘れ／置き去り防止機構を示す図
【図１２】第二実施例の印刷結果取り忘れ／置き去り監視フロー
【図１３】第三実施例のコンビニセキュリティプリンタブロック図
【図１４】第三実施例の印刷結果取り忘れ防止機構を示す図
【図１５】第三実施例のパスワード＝使用封筒ＩＤ対応テーブル
【図１６】第三実施例のリユース封筒を示す図
【図１７】第三実施例の印刷結果取り忘れ監視フロー
【図１８】第三実施例のコンビニセキュリティプリンタ動作フロー
【図１９】第三実施例の印刷結果引取り時のパネル表示と操作を示す図
【符号の説明】
【０１０３】
１、４１、５１  各実施例の印刷装置本体
２、４２、５２  各実施例のＭＦＰ主制御部
３  ＨＤＤ
４  表示入力部
５、４３  データ入力部
６  ＣＰＵ
７  ＲＯＭ
８  ＲＡＭ
９  オペパネ制御部
１０  描画部
１１  通信制御部
１２  エンジン制御部
１３、４４、５４  フィニッシャ
１４、５３  封筒
１５  ＲＦ−ＩＤタグ
１６  ＲＦ−ＩＤライタ
１７  小型印刷装置
１８  排紙ビン
１９  印刷結果
２１、２４、４５、５５，５６  ＲＦ−ＩＤリーダ
２２  レジスタ
２３  レジスタ台
２５  警報機
３１  プリントサービスサーバ
３２  ネットワーク
３３  高機能携帯情報機器
４６  警報器
５７  コインロボ制御部
６０  コインロボ
５００  ＲＦ−ＩＤリーダライタ
５０１  液晶ディスプレイ
５０２  水晶発振器
５０３  増幅器
５０４  電力供給コイル
５０５  電力送信回路
５０６  マイクロプロセッサ
５０７  データ送信回路
５０８  データ受信回路
５０９  データ送信コイルアンテナ
５１０  メモリ
５２０  ＲＦ−ＩＤタグ
５２１  電力用コイル
５２２  送受信用コイル
５２３  電源部
５２４  データ送信回路
５２５  データ受信回路
５２６  制御回路
５２７  不揮発性メモリ
１２００  エンジン  インタフェース
１３００  リーダ部
１３１１  原稿照明ランプ
１３１２  ミラー
１３１３  レンズ
１３５１  ＣＣＤ
１４００  画像生成部
１４１１  画像処理手段
１４１２  プリンタ機能制御手段
１４１３  画像通信制御手段
１５００  カラープリンタ部
１５０１  パルス幅変調回路
１５０２  レーザドライバ
１５０３  レーザダイオード
１５０４  回転多面鏡
１５０５  結像レンズ
１５０６  感光ドラム
１５０７  ビームディテクタ
１５０８  転写ドラム
１５０９  ローラ帯電器
１５１０  給紙カセット
１５１１  給紙ローラ
１５１２  グリッパ
１５１３  吸着ローラ
１５１４  吸着用帯電器
１５１５  現像装置支持体
１５１６  各色現像装置
１５１７  記録紙先端検出器
１５１８  光学ユニット
１５１９  転写用帯電器
１５２０  分離帯電器
１５２１  分離爪
１５２２  搬送手段
１５２３  定着装置
１５２４  排紙トレイ
１５２５  クリーニング装置
１５２６  転写ドラムクリーナ
１５２７  レーザビーム
１５２８  転写紙
１５４０  ビデオＩ／Ｆ制御手段
１５５０  プリンタ制御手段
１６００  ＣＬＣ
【図１】
2006218693.tif 000004
【図２】
2006218693.tif 000005
【図３】
2006218693.tif 000006
【図４】
2006218693.tif 000007
【図５】
2006218693.tif 000008
【図７】
2006218693.tif 000009
【図８】
2006218693.tif 000010
【図９】
2006218693.tif 000011
【図１０】
2006218693.tif 000012
【図１１】
2006218693.tif 000013
【図１２】
2006218693.tif 000014
【図１３】
2006218693.tif 000015
【図１４】
2006218693.tif 000016
【図１５】
2006218693.tif 000017
【図１６】
2006218693.tif 000018
【図１７】
2006218693.tif 000019
【図１８】
2006218693.tif 000020
【図１９】
2006218693.tif 000021
【図６】
2006218693.tif 000022